【手続補正書】
【提出日】平成16年10月13日(2004.10.13)
【手続補正１】
【補正対象書類名】明細書
【補正対象項目名】請求項１
【補正方法】変更
【補正の内容】
【請求項１】
駆動すべき液晶パネルの各データ線に対応して１水平期間ごとに、アナログデータがコンデンサにサンプル・ホールドされボルテージホロワ接続の演算増幅器に入出力されるサンプル・ホールド動作と、コンデンサにサンプル・ホールドされ演算増幅器に入出力されたアナログデータが出力端子に出力される出力動作とを２系統で交互に行うサンプル・ホールド回路と、前記各演算増幅器にバイアス電流を供給するバイアス回路部とを備えた液晶駆動装置において、
前記バイアス回路部は、第１のトランジスタを含むバイアス電流源と、前記第１のトランジスタに流れる電流をミラー比を切替え可能にミラーして前記各演算増幅器の一方の演算増幅器にバイアス電流を取り出す第２のトランジスタを含む第１バイアス電流取出し回路と、前記第１のトランジスタに流れる電流をミラー比を切替え可能にミラーして前記各演算増幅器の他方の演算増幅器にバイアス電流を取り出す第３のトランジスタを含む第２バイアス電流取出し回路とを有し、
前記各ミラー比を切替えて、前記各演算増幅器に供給する前記サンプル・ホールド動作中のバイアス電流を、前記出力動作中のバイアス電流より少なく、かつ、
前記サンプル・ホールド動作中に演算増幅器の出力端に安定した波形でアナログデータを出力するのに十分な電流値としたことを特徴とする液晶駆動装置。
【手続補正２】
【補正対象書類名】明細書
【補正対象項目名】００１２
【補正方法】変更
【補正の内容】
【００１２】
【課題を解決するための手段】
本発明に係わる液晶駆動装置は、駆動すべき液晶パネルの各データ線に対応して１水平期間ごとに、アナログデータがコンデンサにサンプル・ホールドされボルテージホロワ接続の演算増幅器に入出力されるサンプル・ホールド動作と、コンデンサにサンプル・ホールドされ演算増幅器に入出力されたアナログデータが出力端子に出力される出力動作とを２系統で交互に行うサンプル・ホールド回路と、各演算増幅器にバイアス電流を供給するバイアス回路部とを備えた液晶駆動装置において、バイアス回路部は、第１のトランジスタを含むバイアス電流源と、第１のトランジスタに流れる電流をミラー比を切替え可能にミラーして各演算増幅器の一方の演算増幅器にバイアス電流を取り出す第２のトランジスタを含む第１バイアス電流取出し回路と、第１のトランジスタに流れる電流をミラー比を切替え可能にミラーして各演算増幅器の他方の演算増幅器にバイアス電流を取り出す第３のトランジスタを含む第２バイアス電流取出し回路とを有し、各ミラー比を切替えて、各演算増幅器に供給するサンプル・ホールド動作中のバイアス電流を、出力動作中のバイアス電流より少なく、かつ、サンプル・ホールド動作中に演算増幅器の出力端に安定した波形でアナログデータを出力するのに十分な電流値としたことを特徴とする。
上記手段によれば、バイアス回路部内のトランジスタのミラー比を切替えて、各演算増幅器に供給するサンプル・ホールド動作中のバイアス電流を、出力動作中のバイアス電流より少なく、かつ、サンプル・ホールド動作中に演算増幅器の出力端に安定した波形でアナログデータを出力するのに十分な電流値としているので、演算増幅器の出力端に安定した波形を出力するようにしたうえで、サンプル・ホールド動作中の系統の演算増幅器に供給するバイアス電流を低減できる。
【手続補正３】
【補正対象書類名】明細書
【補正対象項目名】００１８
【補正方法】変更
【補正の内容】
【００１８】
以上説明したように、サンプル・ホールド回路２０の１水平期間ごとにサンプル・ホールド動作と出力動作を交互に行う２系統のうち第１系統３０（第２系統４０）が出力動作のとき、第１バイアス電流取出し回路６１（第２バイアス電流取出し回路６２）は、電流源５１に流れる電流をトランジスタＱ１３ａとＱ１３ｂ（Ｑ２３ａとＱ２３ｂ）とでミラーして第１系統３０（第２系統４０）の演算増幅器３３（４３）に供給し、第２バイアス電流取出し回路６２（第１バイアス電流取出し回路６１）は、電流源５１に流れる電流をトランジスタＱ２３ｂ（Ｑ１３ｂ）のみでミラーしてサンプル・ホールド動作中の第２系統４０（第１系統３０）の演算増幅器４３（３３）に供給するので、サンプル・ホールド動作中の第２系統４０（第１系統３０）の演算増幅器４３（３３）には、第２系統４０（第１系統３０）が出力動作中のときに演算増幅器４３（３３）に流れるバイアス電流に対してトランジスタＱ２３ａとＱ２３ｂ（Ｑ１３ａとＱ１３ｂ）との合計サイズに対するトランジスタＱ２３ｂ（Ｑ１３ｂ）のサイズの比のバイアス電流が流れ、バイアス電流により演算増幅器４３（３３）で消費される消費電流を低減することができる。
【手続補正４】
【補正対象書類名】明細書
【補正対象項目名】００２３
【補正方法】変更
【補正の内容】
【００２３】
上記構成のバイアス回路部８０は、動作において、第１系統３０が出力動作のとき、入力端子２に"Ｌ"レベルの信号が供給され、第１バイアス電流取出し回路８１のトランスファゲートＳ１ａがオフ制御され、第２バイアス電流取出し回路８２のトランスファゲートＳ２ａがオン制御される。このとき、第１バイアス電流取出し回路８１は、バイアス電流源５１に流れる電流をＭＯＳトランジスタＱ１３でミラーして、ＭＯＳトランジスタＱ１４ｂのみに流し、さらにＭＯＳトランジスタＱ１４ｂに流れる電流をＭＯＳトランジスタＱ１５でミラーしてＭＯＳトランジスタＱ１６に流して、 ＭＯＳトランジスタＱ１４ｂに流れる電流を出力端子８５からバイアス端子３５を介してＭＯＳトランジスタＱ１４ｂにミラー接続された演算増幅器３３のＮチャネル型ＭＯＳトランジスタでミラーするとともに、ＭＯＳトランジスタＱ１６に流れる電流を出力端子８６からバイアス端子３６を介してＭＯＳトランジスタＱ１６にミラー接続された演算増幅器３３のＰチャネル型ＭＯＳトランジスタにミラーして演算増幅器３３にバイアス電流を供給する。このとき、第２バイアス電流取出し回路８２は、バイアス電流源５１に流れる電流をＭＯＳトランジスタＱ２３でミラーして、ＭＯＳトランジスタＱ２４ａ，Ｑ２４ｂに流し、さらにＭＯＳトランジスタＱ２４ａ，Ｑ２４ｂに流れる電流をＭＯＳトランジスタＱ２５でミラーしてＭＯＳトランジスタＱ２６に流して、 ＭＯＳトランジスタＱ２４ａ，Ｑ２４ｂに流れる電流を出力端子８７からバイアス端子４５を介してＭＯＳトランジスタＱ２４ａ，Ｑ２４ｂにミラー接続された演算増幅器４３のＮチャネル型ＭＯＳトランジスタでミラーするとともに、ＭＯＳトランジスタＱ２６に流れる電流を出力端子８８からバイアス端子４６を介してＭＯＳトランジスタＱ２６にミラー接続された演算増幅器４３のＰチャネル型ＭＯＳトランジスタにミラーして演算増幅器４３にバイアス電流を供給する。このとき演算増幅器４３に流れるバイアス電流は、ＭＯＳトランジスタＱ２４ａとＱ２４ｂとを同一サイズに設計した場合の例では、第２系統４０が出力動作のときに演算増幅器４３に流れるバイアス電流の半分のバイアス電流が流れることになる。第２系統４０が出力動作のときは、上記とは第１系統３０と第２系統４０との動作が反対となる。
【手続補正５】
【補正対象書類名】明細書
【補正対象項目名】図６
【補正方法】変更
【補正の内容】
【図６】  図５の水平ドライバＩＣに使用されるバイアス回路部。